(57)【要約】【課題】張架時の引込線の張力を高い精度で調整することができ、且つ張架後の張力を長期的に管理することが可能な引込装置および引込線の張力確認方法を提供することを目的とする。【解決手段】本発明にかかる引込装置１００の構成は、鉄塔１０からの引込線１２を架台２０に引き留める引込装置であって、引込線の端部に取り付けられた固定部１１０と、固定部１１０を架台２０に固定する２つ以上の張力調整部１２０とを備え、固定部１１０は、軸心Ａに張力測定用架線（架線３０）の取付部（架線取付部１１４）を有し、軸心Ａを避けた位置に張力調整部１２０の取付部（調整取付部１１６）を有することを特徴とする。【選択図】  図３
2019146410.tif 000002
【特許請求の範囲】
【請求項１】
鉄塔からの引込線を架台に引き留める引込装置であって、
前記引込線の端部に取り付けられた固定部と、
前記固定部を架台に固定する２つ以上の張力調整部とを備え、
前記固定部は、
軸心に張力測定用架線の取付部を有し、
軸心を避けた位置に前記張力調整部の取付部を有することを特徴とする引込装置。
【請求項２】
前記張力調整部を３つ備え、前記固定部の軸心の周囲に均等に配置されることを特徴とする請求項１に記載の引込装置。
【請求項３】
請求項１または２に記載の引込装置を用いて、
前記引込装置が既設である状態において、
前記固定部の軸心の取付部と架台の間に張力測定用架線を張り、
前記２つ以上の張力調整部を緩めることで、
前記引込線の現在の張力を測定することを特徴とする引込線の張力確認方法。
【請求項４】
請求項１または２に記載の引込装置を用いて、
前記引込装置を新設する場合において、
引込線に前記固定部を取り付け、
前記固定部の軸心の取付部と架台の間に張力測定用架線を張り、
前記引込線の張力を測定および確認した状態で前記２以上の張力調整部を張り、
その後に前記張力測定用架線を撤去することを特徴とする引込線の張力確認方法。
【発明の詳細な説明】
【技術分野】
【０００１】
本発明は、鉄塔からの引込線を架台に引き留める引込装置、およびかかる引込装置を用いた引込線の張力確認方法に関するものである。
【背景技術】
【０００２】
鉄塔からの引込線は、例えば特許文献１に例示するような電線引留具等によって設備に引き留められる。引き留められた引込線の張力は、通常径間の場合には弛度観測によって管理をすることができる。これに対し、変電所への引込時等のように短径間の場合、弛度が数ｃｍ程度であるため弛度観測による張力管理が困難である。したがって、短径間の場合には支持点張力による管理が必要となる。
【先行技術文献】
【特許文献】
【０００３】
【特許文献１】特開２０１４−６０８８０号公報
【発明の概要】
【発明が解決しようとする課題】
【０００４】
短径間における引込線の張力を確認する方法としては、スプリング式ターンバックルを組み込む手法や張力計を用いる手法が採用されている。スプリング式ターンバックルを組み込む手法では、まずスプリング式ターンバックルをがいし連装置に組み込み、軸力方向の張力を張力メータで確認しながら引込線を張架する。しかしながら、スプリング式ターンバックルは目安程度の張力しか調整できないため、張力の調整精度が不十分となるおそれがある。また設置期間が長期になるにしたがってスプリングの劣化が生じ、張力の表示精度が低下してしまうことが懸念される。
【０００５】
一方、張力計を用いる手法では、引込線を仮上げし、がいし連装置に一時的に張力計を取り付ける。そして、張力計を使用して張力を確認しながら引込線に支持位置をマーキングする。その後、張力計を取り外して引込線を張架する。この手法であれば、上述したスプリング式ターンバックルを組み込む手法よりも高い精度で張架時の張力を調整することができる。しかしながら、張力計は張架時（緊線時）に取り外されるため、その後の長期的な張力の変動を測定することができない。
【０００６】
本発明は、このような課題に鑑み、張架時の引込線の張力を高い精度で調整することができ、且つ張架後の張力を長期的に管理することが可能な引込装置および引込線の張力確認方法を提供することを目的としている。
【課題を解決するための手段】
【０００７】
上記課題を解決するために、本発明にかかる引込装置の代表的な構成は、鉄塔からの引込線を架台に引き留める引込装置であって、引込線の端部に取り付けられた固定部と、固定部を架台に固定する２つ以上の張力調整部とを備え、固定部は、軸心に張力測定用架線の取付部を有し、軸心を避けた位置に張力調整部の取付部を有することを特徴とする。
【０００８】
上記構成によれば、固定部において、張力調整部が張力測定用架線の取付部を避けた位置に配置される。まず引込線を張架する際には、固定部の取付部に張力測定用架線を取り付け、かかる張力測定用架線に張力計を取り付けて張力を測定する。これにより、張架時の引込線の張力を高い精度で調整することができる。そして、張力調整部によって固定部を架台に固定して張力測定用架線を取り外すことにより、張力の高い精度を維持した状態で引込線を張架することが可能となる。
【０００９】
一方、張架後は、張力調整部によって固定部ひいてはそれに取り付けられた引込線を架台に固定した状態で、固定部の取付部に張力測定用架線を取り付ける。そして、張力調整部を取り外すことにより、固定部ひいては引込線が張力測定用架線に支持される。したがって、張架後であっても引込線の張力を適宜測定することができ、張力を長期的に管理することが可能となる。
【００１０】
当該引込装置は、張力調整部を３つ備え、固定部の軸心の周囲に均等に配置されるとよい。これにより、固定部ひいては引込線をバランスよく支持することが可能となる。
【００１１】
上記課題を解決するために、本発明にかかる引込線の張力確認方法の代表的な構成は、上記引込装置を用いて、引込装置が既設である状態において、固定部の軸心の取付部と架台の間に張力測定用架線を張り、２つ以上の張力調整部を緩めることで、引込線の現在の張力を測定することを特徴とする。
【００１２】
上記課題を解決するために、本発明にかかる引込線の張力確認方法の他の構成は、上記引込装置を用いて、引込装置を新設する場合において、引込線に固定部を取り付け、固定部の軸心の取付部と架台の間に張力測定用架線を張り、引込線の張力を測定および確認した状態で２以上の張力調整部を張り、その後に張力測定用架線を撤去することを特徴とする。
【００１３】
上述した引込装置における技術的思想に対応する構成要素やその説明は、当該引込線の張力確認方法にも適用可能である。
【発明の効果】
【００１４】
本発明によれば、張架時の引込線の張力を高い精度で調整することができ、且つ張架後の張力を長期的に管理することが可能な引込装置および引込線の張力確認方法を提供することができる。
【図面の簡単な説明】
【００１５】
【図１】鉄塔および引込線について説明する図である。
【図２】本実施形態にかかる引込装置を説明する図である。
【図３】図２に示す引込装置の詳細図である。
【図４】固定部を測定用架線で支持した状態を説明する図である。
【図５】本実施形態の引込装置を用いた引込線の張力確認方法を説明する図である。
【発明を実施するための形態】
【００１６】
以下に添付図面を参照しながら、本発明の好適な実施形態について詳細に説明する。係る実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
図１は、鉄塔１０および引込線１２について説明する図である。変電設備や、ビル、工場等の大型施設（不図示）では、図１に示す鉄塔１０に保持されている高圧線（不図示）を引込線１２によって引き込むことがある。このとき、引込線１２は、地上に設置された架台２０や、建物の壁面に設置された架台に引き留められる。
【００１８】
図２は、本実施形態にかかる引込装置１００を説明する図である。図３は、図２に示す引込装置１００の詳細図である。以下、図２および図３に示す引込装置１００について詳述しながら、かかる引込装置１００を用いた引込線１２の張力確認方法についても併せて説明する。
【００１９】
図２に示す本実施形態の引込装置１００は、鉄塔１０（図１参照）からの引込線１２を架台２２に引き留める。詳細には、鉄塔１０からの引込線１２は、クランプ１４に接続される。かかるクランプ１４にはワイヤ１６が接続されていて、ワイヤ１６は碍子１８を通過した後に引込装置１００に固定される。引込装置１００は、本実施形態では３つの張力調整部１２０によって架台上枠２４に固定される。これにより、引込線１２は、引込装置１００を介して架台２２に固定される。
【００２０】
図３に示すように、本実施形態の引込装置１００は、固定部１１０および３つの張力調整部１２０を含んで構成される。
【００２１】
固定部１１０は３枚の板（翼）が放射状に１２０°間隔で広がった形状をしていて、中心の上端にワイヤ１６を接続するための引込取付部１１２を備えている。この中心、すなわちワイヤ１６の延長線上を軸心Ａとすると、３つの張力調整部１２０を取り付けるための調整取付部１１６は、軸心Ａを避けた位置にある。具体的には、調整取付部１１６は、軸心Ａを重心とする三角形の頂点（３枚の翼の先端近傍）にある。
【００２２】
なお、本発明において張力調整部１２０の個数は３つに限定するものではなく、２つ以上であればよい。複数の調整取付部１１６の位置は、軸心Ａが重心となるように配置されていることが好ましい。これにより、複数の張力調整部１２０にかかる荷重を均等にすることができる。例えば張力調整部１２０が４つであれば、軸心Ａが重心となる四角形の頂点に４カ所の調整取付部１１６を配置することが好ましい。調整取付部１１６が２つであれば、軸心Ａを中央にして両側の等距離の位置に２カ所の調整取付部１１６を配置することが好ましい。
【００２３】
張力調整部１２０は、固定部１１０の張力を調整するものであり、すなわち長さを調整することが可能になっている。具体的には図３に示すようにターンバックルを好適に用いることができるが、他のねじ機構やジャッキ機構を用いてもよい。
【００２４】
ここで重要な事項として、固定部１２０の下部の軸心Ａ上には、張力測定用の架線３０（図４参照）を取り付けるための架線取付部１１４が設けられている。
【００２５】
図４は固定部１１０を測定用架線３０で支持した状態を説明する図である。測定用架線３０は、一端を固定部１１０の架線取付部１１４に接続され、他端を架台２２の下部枠２６に接続される。これにより、固定部１１０に張力調整部１２０を取り付けない状態で、引込線１２を架台２２に引き留めることができる。なお、架台上枠２４には、架線３０を通すための隙間２４ａが形成されている。
【００２６】
そして架線３０には、張力を測定するための張力計３２が取り付けられている。張力計３２には、具体例として、固定部１１０と架線３０の間に挟まれた金具に歪みゲージ（ピエゾ素子）を取り付けた構成とすることができる。
【００２７】
このように、固定部１１０は、架台２２に対して張力調整部１２０でも張力測定用の架線３０でも接続することができると共に、両方を同時に接続することも可能になっている。したがって、引込線１２を張った状態で、張力調整部１２０による支持から架線３０による支持に移行することが可能であり、またその逆も可能である。
【００２８】
図５は、本実施形態の引込装置１００を用いた引込線１２の張力確認方法を説明する図である。まず引込装置１００を新設する場合、すなわち引込線１２を張架する場合について説明する。引込線１２を張架する際には、図５（ｃ）に示すように、引込取付部１１２にワイヤ１６を取り付け、固定部１１０に引込線１２を支持させる。次に固定部１１０の架線取付部１１４に架線３０を取り付けて、架台２２の下部枠２６との間に張り渡し、架線３０に取り付けられた張力計３２によって引込線１２の張力を測定および確認する。
【００２９】
そして、図５（ｂ）に示すように、固定部１１０の調整取付部１１６に張力調整部１２０を取り付け、張力調整部１２０を架台２２に固定する。その後、図５（ａ）に示すように、架線３０を架線取付部１１４から取り外す。
【００３０】
このように、本実施形態の引込装置１００では架線取付部１１４と調整取付部１１６とが軸心Ａに対して異なる位置に配置されている。これにより、張力計３２によって確認した正確な張力を維持した状態で引込線１２を張架することができる。したがって、張架時の引込線１２の張力の精度を高めることが可能となる。
【００３１】
次に、引込装置１００が既設の場合、すなわち引込線１２を張架した後の場合について説明する。張架後の引込線１２の張力を確認する場合には、まず図５（ａ）に示す固定部１１０の架線取付部１１４に架線３０を取り付ける。そして、図５（ｂ）に示すように、固定部１１０と架台２２の下部枠２６との間に架線３０を張り渡す。
【００３２】
その後、図５（ｃ）に示すように、張力調整部１２０を固定部１１０および架台２２から取り外す。これにより、引込線１２が架線３０に支持される。そして、引込線１２の現在の張力を測定および確認したら、引込線１２を新設する場合と同様に、張力調整部１２０を固定部１１０および架台２２に取り付け、架線３０および張力計３２を取り外す。
【００３３】
このように、本実施形態の引込装置１００では架線取付部１１４と調整取付部１１６とが軸心Ａに対して異なる位置に配置されている。これにより、張架後においても、張力調整部１２０によって固定部１１０ひいてはそれに取り付けられた引込線１２を架台２２に固定した状態で、固定部１１０に張力測定用架線３０を取り付けることができる。したがって、張架後であっても引込線１２の張力を適宜測定することができ、張力を長期的に管理することが可能となる。
【００３４】
以上、本発明の好適な実施形態について詳細に説明したが、本発明は係る実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、鉄塔からの引込線を架台に引き留める引込装置、およびかかる引込装置を用いた引込線の張力確認方法として利用することができる。
【符号の説明】
【００３６】
１０…鉄塔、１２…引込線、１４…クランプ、１６…ワイヤ、１８…碍子、２０…架台、２２…架台、３０…架線、３２…張力計、１００…引込装置、１１０…固定部、１１２…引込取付部、１１４…架線取付部、１１６…調整取付部、１２０…張力調整部、Ａ…軸心
【図１】
2019146410.tif 000003
【図２】
2019146410.tif 000004
【図３】
2019146410.tif 000005
【図４】
2019146410.tif 000006
【図５】
2019146410.tif 000007